(57)【要約】      （修正有）【課題】折り畳んだ傘に装着して携行できるレインコートを提供する。【解決手段】レインコート１は着用者の両腕部分を除く肩部から膝部までを一体的に覆い、前身頃は左右に開閉できるように構成する。前身頃側に二つ折りして折り重ねたときに重なり合う肩部左右と前身頃下端部左右にはそれら両者を止着する面ファスナーを取り付け、二つ折りして折り重ねたときの背面側折り目の左右端部にはリング状フック４を取り付ける。傘６に巻き付け装着する際は、レインコートを前身頃側に二つ折りして折り重ね、対向する面ファスナーを互いに係着させる。次にリング状フックの一方を折り畳んだ傘の露先７に掛け、折り重ねたレインコートを傘に巻き付け、最後に他方のリング状フックを傘の露先に掛けて係止させる。【選択図】図３
0003192745.tif 000002
【実用新案登録請求の範囲】
【請求項１】
不使用時に傘に巻き付け装着して携行するためのレインコートであって、
該レインコートは、着用者の両腕部分を除く肩部から膝部までを一体的に覆い、前身頃は左右に開閉できるように構成されており、前身頃側に二つ折りして折り重ねたときに重なり合う肩部左右と前身頃下端部左右にはそれら両者を止着するための面ファスナーが取り付けてあり、二つ折りして折り重ねたときの背面側折り目の左右端部にはリング状フックが取り付けてあり、
該レインコートを傘に巻き付け装着する際は、レインコートを前身頃側に二つ折りして折り重ねた状態にして前記肩部左右と前身頃下端部左右の面ファスナーを互いに係着させ、次に前記リング状フックの一方を折り畳んだ傘の露先に掛けた状態にして折り重ねたレインコートを傘に巻き付け、最後に他方のリング状フックを傘の露先に掛けて係止させることを特徴とするレインコート。
【請求項２】
請求項１に記載のレインコートにおいて、前記二つ折りして折り重ねたときの背面側下端近くには、前記傘に巻き付けたレインコートを縛る止めベルトが取り付けてあることを特徴とするレインコート。
【考案の詳細な説明】
【技術分野】
【０００１】
本考案は、天気予報が雨でレインコートを持って出かける際や、雨上がり後に使用していたレインコートを携行する際に、そのレインコートを折り畳んだ傘に装着して携行できるようにしたレインコートに関する。
【背景技術】
【０００２】
天気予報で強い雨が予想される場合には傘とレインコートをもって出かけることが多い。また、雨降り中に使用したレインコートと傘をそのまま携行して行動することも多い。しかし、レインコートと傘の両方を手に持って歩くのは煩わしい。特に、雨上がり後に濡れたレインコートと傘の二つを手に持って歩くのは他人にも迷惑になる。こうした場合にレインコートと傘を一体化して片手で携行することができれば便利である。
【０００３】
こうした問題を解決する手段として、特許文献１には、折りたたみ傘の持ち手部分に取り付けた筒状収納体にレインコートを取出し可能に収納したことを特徴とするレインコート等収納折りたたみ傘が提案されている。しかし、筒状収納体はかなりの大きさになって携行に不便であるし、傘にそのような筒状収納体を取り付けるのも簡単ではない。
【先行技術文献】
【特許文献】
【０００４】
【特許文献１】特開２０１３−１６９４３６号公報
【考案の開示】
【考案が解決しようとする課題】
【０００５】
本考案は、従来技術のこうした問題点を解決するためになされたもので、その課題は、雨降り予報でレインコートを携行する際や、雨上がり後に使用していたレインコートを携行する際に、そのレインコートを折り畳んだ傘に装着して携行できるようにしたレインコートを提供することにある。
【課題を解決するための手段】
【０００６】
前記課題を解決するための請求項１に記載の考案は、不使用時に傘に巻き付け装着して携行するためのレインコートであって、該レインコートは着用者の両腕部分を除く肩部から膝部までを一体的に覆い、前身頃は左右に開閉できるように構成されており、前身頃側に二つ折りして折り重ねたときに重なり合う肩部左右と前身頃下端部左右にはそれら両者を止着するための面ファスナーが取り付けてあり、二つ折りして折り重ねたときの背面側折り目の左右端部にはリング状フックが取り付けてあり、該レインコートを傘に巻き付け装着する際は、レインコートを前身頃側に二つ折りして折り重ねた状態にして肩部左右と前身頃下端部左右の面ファスナーを互いに係着させ、次にリング状フックの一方を折り畳んだ傘の露先に掛けた状態にして折り重ねたレインコートを傘に巻き付け、最後に他方のリング状フックを傘の露先に掛けて係止させることを特徴とするレインコートである。
【０００７】
このような構成のレインコートは、不着用時には傘に巻き付けた状態で携行することができる。天気予報で強い雨が予想されて傘とレインコートをもって出かける際、あるいは雨上がり後に使用したレインコートと傘をそのまま携行する際などにレインコートを傘に巻き付けた状態で片手で一緒に携行できるため便利である。レインコートが薄い素材で製作してあればかさばることもない。
【０００８】
また、請求項２に記載の考案は、請求項１に記載のレインコートにおいて、二つ折りして折り重ねたときの背面側下端近くには、傘に巻き付けたレインコートを縛る止めベルトが取り付けてあることを特徴とするレインコートである。
【０００９】
このように止めベルトで縛れば、巻き付けたレインコートの下方側が膨らむことが防止される。
【図面の簡単な説明】
【００１０】
【図１】レインコート１の正面図、右側面図、背面図である。
【図２】レインコート１を折り目線３にて二つ折りした状態の背面図である。
【図３】レインコート１の傘６への巻き付け方の説明図である。
【図４】レインコート１を傘６に巻き付けた状態である。
【図５】ベルト８の取り付け部の説明図である。
【図６】傘６に巻き付けたレインコート１をベルト８で縛った状態である。
【考案を実施するための形態】
【００１１】
以下、本考案に係るレインコートの一実施形態について図面を参照して説明する。図１の（１）は本考案に係るレインコート１の正面図、図１の（２）は右側面図、図１の（３）は背面図である。レインコート１は着用者の両腕部分を除く肩部から膝部までの身体部を一体的に覆うことのできる大きさ、形状に形成されている。前身頃はファスナーやスナップボタンにより左右に開閉できるようにしてある。素材には、ナイロンやポリエステルなどの軽量で防水性に優れたものを使用する。
【００１２】
レインコート１は、二つ折りした状態で折り畳んだ傘に巻き付け装着できるように構成されている。図２はレインコート１を前身頃側、即ち、図１の（２）の矢印側に折り目線３にて二つ折りした状態の背面図である。レインコート１の肩部左右には図１の（１）に示すように面ファスナーの一方のファスナー部材２ａが取り付けてあり、折り目線３にて二つ折りして折り重ねたときにその一方のファスナー部材２ａに対向することとなる前身頃下端部には、他方のファスナー部材２ｂが取り付けてある。折り重ねた状態でファスナー部材２ａとファスナー部材２ｂを互いに係着させ、肩部と前身頃下端部を止着した状態とする。更に、レインコート１を二つ折りして折り重ねたときの背面側の折り目線３の左右端部には、リング状フック４が取り付けてある。
【００１３】
次に、このように構成されたレインコート１の折り畳んだ傘への装着の仕方について説明する。レインコート１を図２に示すように折り目線３にて前身頃側に二つ折りして折り重ね、肩部左右のファスナー部材２ａと前身頃下端部左右のファスナー部材２ｂを互いに係着させる。次に、背面側の折り目線３の端部に取り付けてある一方のリング状フック４を、図３の（１）のように折り畳んだ傘６の露先７に図３の（２）に示すように掛ける。その状態で二つ折りしてあるレインコート１を傘６に巻き付ける。最後に他方のリング状フック４を傘６の露先７に掛ける。これによりレインコート１は図４に示すように傘６に巻き付けた状態で装着される。２個のリング状フック４を傘６の露先７に掛けて係止させているため、巻き付けたレインコート１がほどけるのが防止される。
【００１４】
なお、図４に示したように巻き付けたレインコート１の下方端側が若干膨らむことがある場合には、下方端側を止めベルト８で縛るようにしてもよい。止めベルトは図５に示すようにレインコート１の背面側下部の左右一方の端部分に取り付ける。レインコート１着用時における止めベルト８のぶらつきはベルト通しを取り付けて防ぐ。図６は止めベルト８で縛った状態である。
【００１５】
以上説明した本実施形態のレインコート１は、不着用時には傘に巻き付けた状態で携行することができる。天気予報で強い雨が予想されて傘とレインコートを持って出かける場合、あるいは雨上がり後に使用したレインコートと傘をそのまま携行する場合などにレインコートを傘に巻き付けた状態で片手で一緒に携行できるため便利である。レインコートが薄い素材で製作してあれば、かさばることもない。
【符号の説明】
【００１６】
図面中、１はレインコート、２ａ、２ｂは面ファスナー、３は折り目、４はリング状フック、６は傘、７は露先、８は止めベルトを示す。
【図１】
0003192745.tif 000003
【図２】
0003192745.tif 000004
【図３】
0003192745.tif 000005
【図４】
0003192745.tif 000006
【図５】
0003192745.tif 000007
【図６】
0003192745.tif 000008